(57)【要約】【課題】制御素子が不正取り替え、不正改造される事態を効果的に防止することが可能な遊技機用制御装置を提供する。【解決手段】制御装置１は、上カバー６に切断容易に設けられた各ネジ保持部９，９・・の内の左右の一つずつを、ネジ１３によって、下カバー５のネジ係合体２０，２０に螺着することによって、上カバー６と下カバー５とが合着されている。各ネジ１３，１３は、ワンウェイクラッチ機構を利用したものであり、ヘッド部１５を正方向に回転させた場合には、ヘッド部１５に内蔵されたニードルが回転力を軸部材１４に伝達するため、軸部材１４が回転し、ヘッド部１５を逆方向に回転させた場合には、ニードルが回転力を軸部材１４に伝達しないため、軸部材１４が回転しない状態で保持される。さらに、ヘッド部１５を正方向に強い力で回転させた場合には、ニードルが軸部材１４に押し付けられない状態で保持される。【選択図】図２
2010273981.tif 000002
【特許請求の範囲】
【請求項１】
上カバー、およびその上カバーと合致する下カバーによって、制御素子を設置した基板が覆われているとともに、
前記下カバーと螺合するネジを保持したネジ保持部が、切断可能な取付片を介して前記上カバーの端縁に設けられており、
そのネジ保持部に保持されたネジを下カバーと螺合することによって上カバーを下カバーに対して閉じた状態で保持するとともに、下カバーと螺合されたネジ保持部を上カバーから切断することによって、上カバーと下カバーとを分離する遊技機用制御装置であって、
前記ネジが、ワンウェイクラッチ機構を備えており、
ヘッド部を正方向に回転させた場合には、ヘッド部に内蔵されたニードルが軸部材に押し付けられた状態となって、軸部がヘッド部とともに回転する一方、
ヘッド部を逆方向に回転させた場合には、前記ニードルの軸部材への押し付け状態が解除されて、ヘッド部のみが回転するとともに、
ヘッド部を閾値以上の強い力で正方向に回転させた場合には、前記ニードルが軸部材に押し付けられない状態で保持されて、ヘッド部のみが回転することを特徴とする遊技機用制御装置。
【請求項２】
前記ネジが、
下カバーと螺合させるためのネジ溝を先端に設けた軸部材と、
軸部材の周囲に軸部材の軸方向に沿って配置される複数の円柱状のニードルと、
前記各ニードルを収納するための水平断面が先細のニードル収納空洞部を設けたヘッド部とからなり、
前記ヘッド部の各ニードル収納空洞部の先端際に、ニードルを軸部材に押し付けない状態で保持するための非押付状態保持手段が設けられていることを特徴とする請求項１に記載の遊技機用制御装置。
【請求項３】
前記非押付状態保持手段が、前記ニードル収納空洞部の先端際の外側に設けられた水平断面円弧状の溝であることを特徴とする請求項２に記載の遊技機用制御装置。
【発明の詳細な説明】
【技術分野】
【０００１】
本発明は、パチンコ機、スロットマシーン等の遊技機に用いる遊技機用制御装置に関するものである。
【背景技術】
【０００２】
遊技機の一種であるパチンコ機には、制御装置が設けられており、内部の基板上にＲＯＭやＣＰＵ等の制御素子が設置されている。かかる制御素子は、パチンコ機の作動内容を制御するものであるため、パチンコ機が遊技者にとって都合良く作動するように、不正に取り替えられたり不正に改造されたりすることがある。このため、かかる不正を防止するために、従来の遊技機用制御装置の中には、切断可能な複数のネジ保持部を左右両端縁に設けた上カバーと、その上カバーと合致する下カバーとによって、制御素子を設置した基板を覆うとともに、左右のネジ保持部の内の一つずつを、かしめネジ（基端部の外面に対して垂直な面と基端部の外面に対して緩やかに傾斜した面とを有するネジ突起を基端部に設けたもの）を用いて、ドライバ等では外れないように下カバーに螺着することにより、ネジ保持部を切断しなければ上カバーを取り外すことができないようにして、上カバーの取り外しの痕跡が残るように構成したものがある（特許文献１）。
【０００３】
ところが、上記した切断可能なネジ保持部を設けた遊技機用制御装置は、かしめネジのヘッドに電気ドリル等で孔をあけられると、それらの孔を利用してネジを回転させることが可能となってしまうため、ネジ保持部を切断することなく上カバーを取り外すことができてしまうため、近年では、制御素子の不正取り替え、不正改造を効果的に防止することができなくなっていた。それゆえ、出願人は、上カバーの左右のネジ保持部の内の一つずつを所謂ワンウェイクラッチ機構を利用したネジによって下カバーに螺着した遊技機用制御装置について提案した（特願２００８−１４３２２３）。
【０００４】
当該ワンウェイクラッチ機構を利用したネジは、ヘッド部への回転力を軸部材へ伝達させるための円柱状のニードルをヘッド部に内蔵させたものであり、ヘッド部を軸部材に対して正方向に回転させた場合には、ニードルがヘッド部内で楔状部分に拘束されて軸部材に押し付けられ、軸部材が回転するようになっており、ヘッド部を逆方向に回転させた場合には、ニードルの軸部材への押付が解除され、軸部材が回転しないようになっている。それゆえ、出願人が先に提案した遊技機用制御装置によれば、ネジのヘッドに電気ドリル等で孔をあけられても、それらの孔を利用してネジを回転させることはできず、ネジ保持部を切断することなく上カバーを取り外すことができないため、制御素子の不正取り替え、不正改造を効果的に防止することが可能である。
【先行技術文献】
【特許文献】
【０００５】
【特許文献１】特開平１１−０００４４４号公報
【発明の概要】
【発明が解決しようとする課題】
【０００６】
しかしながら、上記したワンウェイクラッチ機構を利用したネジによって上カバーと下カバーとを螺着した遊技機用制御装置は、各ネジをきわめて強い力で正方向に回転させた場合に、ニードルがヘッド部内で楔状部分に拘束された状態で固定されてしまい、その後にヘッド部を軸部材に対して逆方向に回転させると、ニードルの軸部材への押付が解除されずに、軸部材が回転してしまい、ネジ保持部を切断することなく上カバーを取り外すことが可能となる、という事態が生ずる虞れがある。
【０００７】
本発明の目的は、上記従来の遊技機用制御装置の問題点を解消し、下ケースに一旦螺着された後の各ネジの逆方向への回転を許さず、制御素子の不正取り替え、不正改造をきわめて効果的に防止することが可能で実用的な遊技機用制御装置を提供することにある。
【課題を解決するための手段】
【０００８】
本発明の内、請求項１に記載された発明は、上カバー、およびその上カバーと合致する下カバーによって、制御素子を設置した基板が覆われているとともに、前記下カバーと螺合するネジを保持したネジ保持部が、切断可能な取付片を介して前記上カバーの端縁に設けられており、そのネジ保持部に保持されたネジを下カバーと螺合することによって上カバーを下カバーに対して閉じた状態で保持するとともに、下カバーと螺合されたネジ保持部を上カバーから切断することによって、上カバーと下カバーとを分離する遊技機用制御装置であって、前記ネジが、ワンウェイクラッチ機構を備えており、ヘッド部を正方向に回転させた場合には、ヘッド部に内蔵されたニードルが軸部材に押し付けられた状態となって、軸部がヘッド部とともに回転する一方、ヘッド部を逆方向に回転させた場合には、前記ニードルの軸部材への押し付け状態が解除されて、ヘッド部のみが回転するとともに、ヘッド部を閾値以上の強い力で正方向に回転させた場合には、前記ニードルが軸部材に押し付けられない状態で保持されて、ヘッド部のみが回転することを特徴とするものである。
【０００９】
請求項２に記載された発明は、請求項１に記載された発明において、前記ネジが、下カバーと螺合させるためのネジ溝を先端に設けた軸部材と、軸部材の周囲に軸部材の軸方向に沿って配置される複数の円柱状のニードルと、前記各ニードルを収納するための水平断面が先細のニードル収納空洞部を設けたヘッド部とからなるものであり、前記ヘッド部の各ニードル収納空洞部の先端際に、ニードルを軸部材に押し付けない状態で保持するための非押付状態保持手段が設けられていることを特徴とするものである。
【００１０】
請求項３に記載された発明は、請求項２に記載された発明において、前記非押付状態保持手段が、前記ニードル収納空洞部の先端際の外側に設けられた水平断面円弧状の溝であることを特徴とするものである。
【発明の効果】
【００１１】
請求項１の遊技機用制御装置（以下、単に制御装置という）は、ネジが所謂ワンウェイクラッチ機構を有したものであり、ヘッド部を正方向に回転させた場合には、軸部材がヘッド部とともに回転するため、上カバーと下カバーとを螺合させることができるが、ヘッド部を逆方向に回転させても、ヘッド部のみが逆回転するだけで、ネジの軸部材の下カバーに対する螺合状態が確実に保持される。加えて、ヘッド部が正方向に閾値以上の強い力で回転させられた場合には、ヘッド部を閾値以上の強い力で正方向に回転させた場合には、ヘッド部の回転力を軸部材に伝達するニードルが軸部材に押し付けられない状態で保持されて、ヘッド部のみが回転する状態となり、ニードルが軸部材に押し付けられたままの状態とならない。それゆえ、請求項１の制御装置によれば、取付片を切断することなく上カバーが不正に取り外されて、制御素子が不正に取り替えられたり不正に改造されたりする事態を、効果的に防止することができる。
【００１２】
請求項２の制御装置は、ヘッド部が正方向に強い力で回転させられた場合には、ヘッド部の回転力を軸部材に伝達するニードルが、非押付状態保持手段によって軸部材と接触しない状態で保持されるため、当該回転力が軸部材に伝達されず、軸部材が回転しない状態で保持される。それゆえ、請求項２の制御装置によれば、取付片を切断することなく上カバーが不正に取り外されて制御素子が不正に取り替えられたり不正に改造されたりする事態を非常に効果的に防止することができる。
【００１３】
請求項３の制御装置は、ネジの非接触状態保持手段がニードル収納空洞部の先端際の外側に設けられた水平断面円弧状の溝であるため、ヘッド部が正方向に強い力で回転させられた場合には、ニードルが非接触状態保持手段である溝にスムーズに嵌り込む（すなわち、非接触状態保持手段が効果的に機能する）。したがって、請求項３の制御装置によれば、取付片を切断することなく上カバーが不正に取り外されて制御素子が不正に取り替えられたり不正に改造されたりする事態をきわめて効果的に防止することができる。加えて、安価に構築することができる。
【図面の簡単な説明】
【００１４】
【図１】遊技機用制御装置の正面図である。
【図２】図１におけるＡ−Ａ線断面を示す説明図である（ｂはａにおける波線部分の拡大図である）。
【図３】ネジの正面図（ａ）および平面図（ｂ）である。
【図４】ネジの断面図（図３におけるＡ−Ａ線断面図）である（ｂはａにおける波線部分の拡大図である）。
【図５】ネジのヘッド部を一部切り欠いて示す分解斜視図である。
【図６】ネジの軸部材の分解図である。
【図７】下カバーの下固着翼の正面を示す説明図である。
【図８】ネジの変更例を示す説明図である。
【図９】規制リングの変更例を示す説明図（平面図）である。
【図１０】規制リングの変更例を示す説明図である。（ａは、平面図であり、ｂ〜ｄは、側面図である）。
【図１１】ネジの変更例を示す説明図である（ａは、ヘッド部を逆回転させる状態を示したものであり、ｂは、ヘッド部を閾値を上回る強い力で正回転させる状態を示したものである）。
【発明を実施するための形態】
【００１５】
［制御装置の構造］
以下、本発明に係る制御装置について、図面に基づいて詳細に説明する。図１は、制御装置１の正面図であり、図２は、図１におけるＡ−Ａ線断面を示す説明図である（なお、図２（ｂ）は、図２（ａ）の一部を拡大して示したものである）。制御装置１は、ＲＯＭ８やＣＰＵ等の種々の制御素子を搭載した基板４、透明な合成樹脂製の上カバー６および下カバー５等によって構成されている。
【００１６】
上カバー６は、幅広な箱形に形成されており、左右両サイドに、縦長な長方形状の外形（正面から見た場合の外形）を有する上固着翼２６，２６が設けられている。各上固着翼２６，２６の上端縁には、それぞれ、係止孔１２が穿設されている。さらに、各係止孔１２，１２の下方には、それぞれ、略円筒状の４個のネジ保持部９，９・・が、左右に位置した切断可能な取付片１０，１０によって、各上固着翼１６，１６の前面に一体的に連設されており、後方に突出した状態になっている。
【００１７】
また、図２の如く、各ネジ保持部９の略中央には、仕切板３５が形成されており、仕切板３５の中央には、ネジ挿通孔１８が穿設されている。さらに、仕切板３５の裏側には、２つの弾性片２８，２８が後方に突出するように設けられている。そして、各ネジ保持部９，９・・においては、所謂ワンウェイクラッチ機構を利用したネジ１３が、ネジ挿通孔１８に挿通され、弾性片２８，２８によって先端を把持された状態で保持されている。
【００１８】
図３（ａ），（ｂ）、図４は、それぞれ、ネジ１３の正面図、平面図、および水平断面図（図３におけるＡ−Ａ線断面図）であり、ネジ１３は、下カバー５と螺合させるための軸部材１４と、軸部材１４を片方向にのみ回転させるためのヘッド部１５とを組み付けることによって形成されている。また、図５は、ヘッド部１５の分解斜視図であり、ヘッド部１５は、ハウジングとして機能するキャップ体２１と、キャップ体２１の内側に組み込むコア２２と、キャップ体２１の下蓋として機能する蓋体２３と、キャップ体２１を所定方向に回転させた場合にのみ当該回転力を軸部材１４に伝達する複数のニードル３１，３１・・と、それらのニードル３１，３１・・を付勢するためのバネ部材５３とによって構成されている。
【００１９】
キャップ体２１は、合成樹脂によって円筒状部分Ｔの外側に球面状部分Ｓを連設した椀の如き形状に一体的に形成されている。そして、外面には、扁平な長方形状（平面視）のネジ溝７が直径方向に形成されている。また、キャップ体２１の円筒状部分Ｔの内側には、コア２２を固定するための複数の凸部２７，２７・・が形成されている。さらに、キャップ体２１の内側の円筒状部分Ｔと球面状部分Ｓとの境には、内蔵するコア２２を位置決めするための段差５０が設けられており、球面状部分Ｓの中心の内側には、螺着する際に軸部材１４の基端と当接させるための押止突起５１が設けられている。
【００２０】
一方、ニードル３１，３１・・は、金属によって縦長な円柱状に形成されている。そして、外周に、軟質の合成樹脂が被覆されている。
【００２１】
また、コア２２は、扁平な円筒状に形成されており、外周には、キャップ体２１の凸部２７と噛合する複数の凹部２９，２９・・が形成されている。さらに、コア２２の中心には、各ニードル３１，３１・・と軸部材１４との相対距離を規制するための規制孔６１が設けられている。当該規制孔６１は、円形ではなく、中心からの距離が長い大径部分６２および中心からの距離が短い小径部分６３が所定の角度毎に形成されている。さらに、規制孔６１の内壁には、後述するバネ部材５３のバネ部５５の先端を収納するための水平断面コ字状の収納溝６５を設けた５個のバネ収納体６６，６６・・が、等間隔に固着されている。そして、それらのバネ収納体６６，６６・・の内壁によって、軸部材１４を挿入するための軸孔３０が形成された状態になっている。また、各バネ収納体６６，６６・・の軸方向に沿った側壁、および、規制孔６１の内壁によって、ニードル３１を挿入するためのニードル収納空洞部であるニードル孔３２，３２・・が形成された状態になっている。
【００２２】
各ニードル孔３２，３２・・においては、図４の如く、バネ収納体６６の収納溝６５に近い側から遠ざかるにつれて、軸孔３０に挿通した軸部材１４の外周面と規制孔６１の内壁との距離が短くなるように傾斜した状態になっている。すなわち、規制孔６１の内壁の収納溝６５に近い側の部分は、軸部材１４の外周面からの距離がニードル３１の直径よりも長くなっており、規制孔６１の内壁の収納溝６５から遠い側の部分は、軸部材１４の外周面からの距離がニードル３１の直径よりも短くなっている。そして、各ニードル孔３２，３２・・においては、規制孔６１の内壁（すなわち、傾斜面）と軸部材１４の外周とによって、楔状の挟持部（図４における斜線部Ｇ）が形成されている。なお、嵌合溝６４の規制孔６１の中心から最も外側の部分と軸部材１４の外周面との距離は、ニードル３１の直径よりも所定の長さ（約０．１ｍｍ）だけ長くなっている。
【００２３】
一方、バネ部材５３は、金属板によって一体的に形成されており、軸部材１４を挿通させるための挿通孔４０を中央に穿設した環状の連結部５６の表面に、先端を略Ｕ字状に屈曲させた複数のバネ部５５，５５・・が等間隔に突設されている。また、蓋体２３は、円盤状に形成されており、軸部材１４を挿通させるための軸受孔２４が中央に穿設されている。さらに、表面には、キャップ体２１に嵌め込むための突起部４４が形成されている。
【００２４】
また、図６は、軸部材１４を分解した状態を示したものであり、軸部材１４は、長尺な略円柱状に形成された軸本体４３と、幅広な円盤状に形成されたフランジ体４１とによって構成されている。軸本体４３の基端の外面の中央には、フランジ体４１を螺着するためのネジ溝４５が穿設されており、先端際の外周には、下カバー５と螺合させるためのネジ溝４２が周設されている。また、軸本体４３の中央よりやや基端よりの位置には、扁平なドーナッツ状の規制リング５２が外嵌されて圧着されており、軸本体４３から一定幅で外側へ突出した状態になっている。さらに、フランジ体４１の裏面の中央には、軸本体１４に螺着するためのネジ突起４６が設けられている。
【００２５】
軸部材１４、キャップ体２１、コア２２、蓋体２３、ニードル３１，３１・・およびバネ部材５３からネジ１３を組み付ける際には、まず、コア２２のニードル孔３２，３２・・、収納溝５４，５４・・に、それぞれ、ニードル３１，３１・・、バネ部材５３のバネ部５５，５５・・を組み込む（バネ部材５３の連結部５６がコア２２の先端側に位置するように組み込む）。しかる後、コア２２の先端側に蓋体２３を配置させ、重なり合った蓋体２３の挿通孔２４およびコア２２の軸孔３０に、軸部材１４の軸本体４３を挿通させ（軸部材１４の先端側が蓋体２３側となるように挿通させ）、挿通した軸本体１４の基端にフランジ体４１を螺着させる（そのように組み付けることによって、軸部材１４がコア２２、バネ部材５３、および蓋体２３から外れない状態となる）。さらに、そのように軸部材１４と一体となったコア２２を、基端側に重なった軸部材１４のフランジ体４１と一緒に、キャップ体２１の内部に嵌め込む（コア２２の外周の凹部２９，２９・・にキャップ体２１の円筒状部分Ｔの内周の凸部２７，２７を嵌合させるようにして嵌め込む）。そして、コア２２を嵌め込んだキャップ体２１の先端側に、蓋体２３の突起部４４を嵌合させることにより、キャップ体２１を蓋体２３で閉塞して固定する。なお、組み付けられたネジ１３においては、キャップ体２１の内側の押止突起５１とフランジ体４１との間に、所定量（約１．０ｍｍ）の隙間が形成された状態になっている。
【００２６】
上記の如く構成されたネジ１３においては、ネジ溝７，７を利用してドライバーによってキャップ体２１を時計回りに回転させた場合には、キャップ体２１に嵌合されたコア２２が、軸部材１４に対して相対的に時計回り（図４（ａ）におけるＸ方向）に回転する。そのようにコア２２が回転すると、軸部材１４と接触している各ニードル３１，３１・・が、軸部材１４との摩擦力およびバネ部材５３の付勢力によって、ニードル孔３２内で収納溝５４から離れる方向（すなわち、バネ収容体６６の端面３８の方向）へ押し出される。そして、押し出された各ニードル３１，３１・・は、規制孔６１の内壁と軸部材１４の外周とで形成される楔状の挟持部Ｇに挟み込まれて固定される。そのようにニードル３１，３１・・が挟持部Ｇに挟持されると、各ニードル３１，３１・・の軸部材１４に対する押圧力が増大し、軸部材１４に対してコア２２が相対回転できなくなるため、キャップ体２１およびコア２２の時計回りの回転に伴って軸部材１４が時計回りに回転することになる（図４（ａ）参照）。
【００２７】
そして、さらに、ドライバーによってキャップ体２１を強い力で時計回りに回転させた場合には、図４（ｃ）の如く、ニードル孔３２内で収納溝５４から離れる方向へ押し出された各ニードル３１，３１・・の表面（軟質の合成樹脂Ｐ）の一部（規制孔６１および軸部材１４と接触した部分）が崩壊する。それゆえ、各ニードル３１，３１・・は、軸部材１４に押し付けられなくなるため、軸部材１４に対してコア２２が相対的に回転可能となる。したがって、キャップ体２１およびコア２２が回転しても、軸部材１４は回転しない状態で保持される。
【００２８】
加えて、各ニードル３１，３１・・の表面が崩壊しない程度に挟持部Ｇに挟持された状態で、キャップ体２１を反時計回りに回転させた場合には、キャップ体２１に嵌合されたコア２２が、軸部材１４に対して反時計回り（図４におけるＹ方向）に回転する。そのようにコア２２が軸部材１４に対して反時計回りに回転すると、軸部材１４と接触している各ニードル３１，３１・・が、軸部材１４との摩擦力によって、バネ部材５３の付勢力に抗して、挟持部Ｇの拘束から外れて、ニードル孔３２内で収納溝５４に近づく方向へ押し出される。各ニードル孔３２，３２・・においては、上述の如く、収納溝５４に近い側の規制孔６１の内壁と軸部材１４との距離がニードル３１の直径よりも大きくなっているので、各ニードル３１，３１・・は、ニードル孔３２内で収納溝５４に近づく方向へ押し出されると、軸部材１４と接触しない状態を保つことが可能となる。したがって、軸部材１４に対してコア２２が相対的に回転可能となるため、キャップ体２１およびコア２２が回転しても、軸部材１４は回転しない状態で保持される。
【００２９】
上記の如く、ワンウェイクラッチ機構を利用したネジ１３においては、キャップ体２１を時計回りに回転させた場合には、その回転力が軸部材１４に伝達されて軸部材１４が回転し、キャップ体２１を反時計回りに回転させた場合には、その回転力が軸部材１４に伝達されず、軸部材１４が回転しない状態を保持する。加えて、キャップ体２１を時計回りに強い力で回転させた場合には、各ニードル３１，３１・・が軸部材１４に押し付けられない状態となるため、当該回転力が軸部材１４に伝達されず、軸部材１４が回転しない状態を保持する。
【００３０】
一方、図２の如く、下カバー５は、上カバー６と同一幅に形成されており、左右両サイドに、上カバー６の各上固着翼１６，１６と同様な縦長の長方形状の外形（正面から見た場合の外形）を有する下固着翼１７，１７が連設されている。そして、各下固着翼１７，１７の上端縁には、それぞれ、先端を矢尻状に形成した係止突片１１が突設されている。また、図７は、各下固着翼１７の正面を示したものであり、各下固着翼１７，１７の上カバー６の各ネジ保持部９，９・・と対応する位置には、ネジ孔３６を穿設してなるネジ係合体２０，２０・・が、支持アーム３３，３３および支持リブ３４，３４によって左右の壁板１９，１９等に支持された状態で設けられている。
【００３１】
制御装置１は、基板４を下カバー５の内面に螺着した状態で、上カバー６の各上固着翼１６，１６を下カバー５の各下固着翼１７，１７に重ね合わせ、各係止突片１１，１１を各係止孔１２，１２に係止させた状態で、左側の最上方のネジ保持部９（「１」を付したネジ保持部９）に保持されたネジ１３（上記の如くワンウェイクラッチ機構を利用したもの）を時計回りに回転させて左側の最上方のネジ係合体２０に螺着するとともに、右側の最下方のネジ保持部９（「１」を付したネジ保持部９）に保持されたネジ１３（上記の如くワンウェイクラッチ機構を利用したもの）を時計回りに回転させて右側の最下方のネジ係合体２０に螺着することによって、組み立てられている。そして、ＲＯＭ８やＣＰＵ等の種々の制御素子を搭載した基板４が、上カバー６および下カバー５によって覆われた状態になっている（なお、図１の如く、基板４は、上側の一部のみ露出した状態になっている）。なお、ネジ係合体２０へのネジ１３のねじ込み量は、規制リング５２によって所定量（約１０ｍｍ）に規制されている。また、ネジ保持部９内のネジ１３をネジ係合体２０に螺着させる際には、キャップ体２１の内側の押止突起５１が弾性によってフランジ体４１と当接するため、キャップ体２１の空回りがきわめて高い精度で防止される。
【００３２】
［制御装置の作動内容］
上記の如く構成された制御装置１は、パチンコ機の裏面側の機構板等に設置された状態で使用される。そして、搭載されたＲＯＭ８やＣＰＵ等の種々の制御素子によって、パチンコ機の作動内容を制御する。
【００３３】
そして、上カバー６のネジ保持部９，９と下カバー５のネジ係合体２０，２０とが、ワンウェイクラッチ機構を利用したネジ１３，１３によって螺着されているため、ネジ１３，１３を螺着時と反対方向（左回り）に回転させることができず、ネジ保持部９とネジ係合体２０との螺着状態を解除することができない。それゆえ、上カバー６を取り外す場合には、ネジ係合体２０，２０と螺着したネジ保持部９，９の前方に設けられた２つの取付片１０，１０・・を、ニッパ等の工具で切断し、かかるネジ保持部９，９を上カバー６から切り離すことによって、上カバー６と下カバー５とを分離しなければならない。
【００３４】
また、再度 上カバー６を下カバー５に合着させる場合には、左側の最上方のネジ係合体２０および右側の最下方のネジ保持部９以外のネジ保持部９，９（すなわち、未だネジ係合体２０と螺着していない同じ番号を付したネジ保持部９，９同士）を、それぞれ、ネジ１３，１３により同位置のネジ係合体２０，２０と螺着すれば良い。それゆえ、一旦、上カバー６と下カバー５とを分離した後でも、再度、上カバー６を下カバー５に合着させることができ、そのような上カバー６、下カバー５の分離、合着を４回繰り返すことができる。
【００３５】
［制御装置の効果］
制御装置１は、上記の如く、上カバー６を下カバー５と分離するためには、取付片１０，１０・・を切断することによりネジ係合体２０，２０と螺着されたネジ保持部９，９を上カバー６から切り離さなければならないため、上カバー６が取り外された場合には、必ずその痕跡が残る。それゆえ、上カバー６の開閉の有無を容易に把握することができる。それにも拘わらず、各取付片１０，１０が容易に切断可能な構造を有しているため、それらの取付片１０，１０をニッパ等の工具で切断することによって、上カバー６を容易に取り外して、基板８上に設置された制御素子の内容をチェックすることができる。
【００３６】
また、制御装置１は、上記の如く、各ネジ１３，１３がワンウェイクラッチ機構を有したものであり、ヘッド部１５を正方向に回転させた場合には、軸部材１４がヘッド部１５とともに回転するため、上カバー６と下カバー５とを螺合させることができるが、ヘッド部１５を逆方向に回転させても、ヘッド部１５のみが逆回転するだけで、軸部材１４が回転しない状態で保持される。さらに、各ネジ１３，１３は、キャップ体２１の各ニードル孔３２，３２・・の先端際に嵌合溝６４が設けられており、キャップ体２１が正方向に強い力で回転させられた場合には、各ニードル２１，３１・・が軸部材１４に押し付けられない状態となるため、当該回転力が軸部材１４に伝達されず、軸部材１４が回転しない状態で保持される。それゆえ、制御装置１は、取付片１０，１０・・を切断することなく上カバー６が不正に取り外される事態を効果的に防止することができる。したがって、制御装置１によれば、ＲＯＭ８等の制御素子の不正取り替え、不正改造を非常に効果的に防止することができる。
【００３７】
［制御装置の変更例］
なお、本発明の制御装置は、上記実施形態の態様に何ら限定されるものではなく、基板、上カバー、下カバー、ワンウェイクラッチ機構を利用したネジ等の形状、構造等の構成を本発明の趣旨を逸脱しない範囲内で適宜変更することができる。
【００３８】
たとえば、上カバーの各上固着翼に設けるネジ保持部の個数や、下カバーの左右の各下固着翼に設ける取付タブの個数は、４個に限定されず、３個以下あるいは５個以上でも良い。また、各上固着翼とネジ保持部とを連結する取付片の個数も、２個に限定されず、１個でも良いし、３個以上でも良い。さらに、上固着翼や下固着翼の設置位置は、上下カバーの左右両端縁に限定されず、上下カバーの上下両端縁でも良い。
【００３９】
また、ワンウェイクラッチ機構を利用したネジは、上記実施形態の如く、ヘッド部に内蔵された複数のニードルを軸部材に押し付けるものに限定されず、別のワンウェイクラッチ機構を利用したものに変更することも可能である。加えて、ワンウェイタイプのネジとして、上記実施形態の如き複数のニードルを軸部材に押し付けるワンウェイクラッチ機構を利用したものを用いる場合には、ニードルを付勢するためのバネは、基端側を二つ折りした形状のものに限定されず、軸部材の長手方向に沿って山折り線と谷折り線とを連続させた形状のもの等でも良い。また、軸部材を固定するためのニードルの個数は５個に限定されず、４個以下や６個以上に変更することも可能である。さらに、ネジのヘッド部のキャップ体やコアは、一体的に設けられたものに限定されず、複数の部材を組み付けることによって構成されるものに変更することも可能である。
【００４０】
加えて、ワンウェイクラッチ機構を利用したネジは、上記実施形態の如く、キャップ体と蓋体とによって構成されるハウジングの内部に、コア、バネ部材等を内蔵したものに限定されず、バネ部材および蓋体を一体的に設けたコアとキャップ体とによってヘッド部が構成されたものに変更することも可能である。また、そのようにバネ部材および蓋体をコアに一体的に設ける場合には、図８（ａ）の如く、コア２２’の外周面に柱状突起６１，６１を設けるとともに、キャップ体２１の円筒状部分Ｔに柱状凹部６０，６０を設け、柱状突起６１，６１を柱状凹部６０，６０に嵌合させることによって、キャップ体２１をコア２２’に装着できるように構成することも可能である。なお、そのように構成する場合には、コアの外周面に設ける凹部やキャップ体の内周面に設ける凸部の構成を省略することも可能である。また、図８（ｂ）の如く、コア２２”の外周面に周状突起６３を設けるとともに、キャップ体２１の円筒状部分Ｔに周状凹部６２を設け、周状突起６３を周状凹部６２に嵌合させることによって、キャップ体２１をコア２２”に装着できるように構成することも可能である。なお、そのように構成する場合には、コアに対するキャップ体の相対回転を防止するために、上記実施形態の如く、コアの外周面に凹部を設けるとともにキャップ体の内周面に凸部を設ける（あるいはコアの外周面に凸部を設けるとともにキャップ体の内周面に凹部を設ける）等の構成を採用する必要がある。そのようにバネ部材および蓋体をコアに一体的に設けた場合には、遊技機用制御装置の製造時におけるネジの組み付けがきわめて容易なものとなる、というメリットがある。
【００４１】
さらに、ネジの軸部材に固着させる規制リングは、上記実施形態の如き扁平なリング状（中央を円形に穿設した円板状）のものに限定されず、図９の如きＥリング状のものや、中央を円形に穿設した非円形の板状体等、軸部材の外周に装着可能な任意の形状に変更することが可能である。加えて、規制リングは、上記実施形態の如く、軸本体に外嵌して圧着するものに限定されず、軸本体に一体的に形成したものでも良いし、溶接や接着によって軸本体に固着するもの等に変更することも可能である。
【００４２】
また、規制リングは、図１０（ａ），（ｂ）の如く、外周に突起体（バイト）４８，４８・・を設けたものとすることも可能である。かかる構成を採用した場合には、規制リングを下カバー（取付タブ）内にねじ込んでヘッド部の裏面（ネジの先端側の面）を下カバー（取付タブ）の表面に当接させることが可能となるため、ヘッド部の裏面からヘッド部と軸部材との隙間に接着剤を注入して両者を固着させてネジを下カバーから取り外し可能とする、という不正行為を効果的に防止することが可能となる。さらに、規制リングは、図１０（ｃ）の如く、下面（下カバーの取付タブと対向する面）に突起体（バイト）５７，５７・・を設けたものとすることも可能である。かかる構成を採用した場合には、ネジを下カバー（取付タブ）に螺着させると、下カバーの取付タブの表面に痕跡（突起体５７，５７・・による削れ）が残るため、正規のネジを不正に取り外して他のものと取り替える不正をより効果的に防止することが可能となる。加えて、規制リングは、図１０（ｄ）の如く、上面（下カバーの取付タブと対向する面）に突起体（バイト）５７，５７・・を設けたものとすることも可能である。かかる構成を採用した場合には、ネジを強固に下カバー（取付タブ）に螺着させると、規制リングがヘッド部の裏面に当接し当該裏面に痕跡（突起体５８，５８・・による削れ）が残るため、正規のネジを不正に取り外して他のものと取り替える不正を一層効果的に防止することが可能となる。なお、規制リングの外周、下面、上面に突起体（バイト）を設ける場合には、当該突起体の形状を必要に応じて適宜変更することができる。加えて、ワンウェイクラッチ機構を利用したネジは、ドライバーを所定の方向に回転させた場合にのみ当該ドライバーと当接する当接面を有する複数のネジ突起をキャップ体の基端に設けたワンウェイタイプのネジとすることも可能である。
【００４３】
また、ワンウェイクラッチ機構を利用したネジは、ヘッド部を閾値以上の強い力で正方向に回転させた場合に、ニードルが軸部材に押し付けられない状態で保持されて、ヘッド部のみが回転するもの（すなわち、ヘッド部を閾値以上の強い力で正方向に回転させた後には、正方向に回転させても逆方向に回転させてもヘッド部のみが回転する（空回りする）もの）であれば良く、上記実施形態の如く、軟質の合成樹脂を被覆したニードルをヘッド部に内蔵したものに限定されず、軸部材の基端側の表層部分を軟質の金属によって形成したもの等に変更することも可能である。かかる構成を採用した場合には、ヘッド部を強い力で時計回りに回転させると、ニードル孔内で収納溝から離れる方向へ押し出された各ニードルによって軸部材の表層部分が崩壊（削り取られる等）してしまい、ヘッド部が回転しても、軸部材は回転しない状態で保持されることとなる。したがって、上記実施形態のネジを用いた場合と同様に、取付片を切断することなく上カバーが不正に取り外されて制御素子が不正に取り替えられたり不正に改造されたりする事態をきわめて効果的に防止することが可能となる。さらに、ワンウェイクラッチ機構を利用したネジは、上記実施形態の如く、ヘッド部を閾値以上の強い力で正方向に回転させた場合でも、ニードルと軸部材との接触状態が保たれるものに限定されず、ヘッド部を閾値以上の強い力で正方向に回転させた場合には、ニードルと軸部材とが離反した状態に保たれるように構成することも可能である。そのような構成を採用した場合には、取付片を切断することなく上カバーが不正に取り外されて制御素子が不正に取り替えられたり不正に改造されたりする事態をより高い精度で防止することが可能となる。
【００４４】
加えて、ワンウェイクラッチ機構を利用したネジは、図１１の如く、挟持部Ｇと隣接した規制孔６１の内壁に軟質な部分が設けられており、ヘッド部１５が正方向に強い力で回転させられた場合に、各ニードル３１，３１・・の一部がその軟質な部分に入り込む（すなわち、規制孔６１の内壁が変形する）ものに変更することも可能である。かかる構成を採用した場合にも、ヘッド部１５が正方向に強い力で回転させられると、図１１（ｂ）の如く、各ニードル３１，３１・・が軸部材１４と接触しない状態で保持されるため、取付片を切断することなく上カバーが不正に取り外されて制御素子が不正に取り替えられたり不正に改造されたりする事態をきわめて効果的に防止することが可能となる。
【００４５】
なお、上記実施形態においてはパチンコ機に使用される制御装置について説明したが、本発明の制御装置が使用される遊技機は、スロットマシーンやテレビゲーム等のパチンコ機以外の遊技機でも良い。
【符号の説明】
【００４６】
１・・制御装置
４ａ，４ｂ・・基板
５・・下カバー
６・・上カバー
７・・ネジ突起
８・・制御素子  
９・・ネジ保持部
１３・・ネジ
１４・・軸部材
１５・・ヘッド部
２１・・キャップ体
３１・・ニードル
３２・・ニードル孔
【図１】
2010273981.tif 000003
【図２】
2010273981.tif 000004
【図３】
2010273981.tif 000005
【図４】
2010273981.tif 000006
【図５】
2010273981.tif 000007
【図６】
2010273981.tif 000008
【図７】
2010273981.tif 000009
【図８】
2010273981.tif 000010
【図９】
2010273981.tif 000011
【図１０】
2010273981.tif 000012
【図１１】
2010273981.tif 000013